(57)【要約】【課題】輸送の際に嵩張らず、且つ輸送の際に薬剤収容部から薬剤が脱落しにくい薬剤セット具１を提供する。【解決手段】基材２に複数の薬剤収容部３が平面的且つ行列状に分布されていて、前記薬剤収容部３に対応する服用者及び服用タイミングの薬剤が当該薬剤収容部３に保持される。前記薬剤収容部３は薬剤を出し入れする開口１５を有し、前記基材２には前記出し入れ可能な方向に対して順方向に延びる折り線１０があり、前記折り線１０から基材２を折り畳むことが可能である。【選択図】図１
2019068929.tif 000002
【特許請求の範囲】
【請求項１】
基材に複数の薬剤収容部が平面的且つ行列状に分布されていて、前記薬剤収容部に対応する服用者及び服用タイミングの薬剤が当該薬剤収容部に保持される薬剤セット具において、
前記薬剤収容部は薬剤を出し入れする開口を有し、
前記基材には前記開口から薬剤を抜き出す方向に対して略平行な折り線があり、前記折り線から基材を折り畳むことが可能であることを特徴とする薬剤セット具。
【請求項２】
基材に複数の薬剤収容部が平面的且つ行列状に分布されていて縦姿勢に設置され、前記薬剤収容部に対応する服用者及び服用タイミングの薬剤が当該薬剤収容部に保持される薬剤セット具において、
前記薬剤収容部はポケット状であり、設置姿勢を基準として縦方向に延びる折り線があり、前記折り線から基材を折り畳むことが可能であることを特徴とする薬剤セット具。
【請求項３】
前記各薬剤収容部は、基材の一方の表面側に薬剤を出し入れする開口があり、前記開口がある面が向き合う様に折り畳むことが可能であることを特徴とする請求項１又は２に記載の薬剤セット具。
【請求項４】
薬剤は、所定の薬剤包装に包まれた状態で前記薬剤収容部に収容され、前記薬剤収容部の深さは、収容する薬剤包装よりも浅く、薬剤包装を前記各薬剤収容部に収容した状態においては、薬剤包装の一部が前記各薬剤収容部から露出し、且つ前記露出部分が隣接する前記薬剤収容部の一部に重なることを特徴とする請求項１乃至３のいずれかに記載の薬剤セット具。
【請求項５】
前記薬剤収容部の開口の近傍に、前記薬剤の脱落を防止する脱落防止部材が設けられていることを特徴とする請求項１乃至４のいずれかに記載の薬剤セット具。
【請求項６】
請求項１乃至５のいずれかに記載の薬剤セット具とケースとの組み合わせであって、前記ケースは、少なくとも折り畳んだ状態の前記薬剤セット具の周面を包囲する周壁を有し、前記ケースに前記薬剤セット具を挿入可能であることを特徴とする薬剤セット具とケースとの組み合わせ。
【請求項７】
前記ケースは、前記周壁の少なくとも一部から内部を観察することが可能であることを特徴とする請求項５又は６に記載の薬剤セット具とケースとの組み合わせ。
【請求項８】
前記ケースは袋物であることを特徴とする請求項６又は７に記載の薬剤セット具とケースとの組み合わせ。
【発明の詳細な説明】
【技術分野】
【０００１】
本発明は、お薬カレンダーや投薬カレンダー等の薬剤セット具に関するものである。
【背景技術】
【０００２】
高齢の患者（服用者）や、症状が急性期を脱した患者は、在宅で療養する場合が多い。また高血圧症や高脂血圧の様な緊急性を要しない患者についても、在宅で療養する場合が多い。在宅で療養する患者は、自己管理に基づいて服薬を行う必要がある。
例えば医師の処方の内、その用法が、朝にＡ薬とＢ薬を服用し、昼にＢ薬を服用し、夕食後に朝の倍量のＡ薬とＣ薬を服用するものであるならば、患者自らが決められた時刻に決められた種類の薬剤を決められた量だけ薬箱等から取り出し、服用する必要がある。
しかしながら、現実問題として、飲むべき薬の種類や量を間違ったり、飲み忘れることがある。また逆に重複して服用してしまうこともある。
特に、高齢者や気力が低下した患者にとっては、決められた種類の薬剤を決められた量だけ薬箱等から取り出すことが困難であり、正確に薬剤を服用できていない場合もある。
【０００３】
この問題を解決する手段として、投薬カレンダー又はお薬カレンダーと称される薬剤セット具が特許文献１，２に提案されている。
特許文献１に開示された発明は、カレンダーに薬剤を収容する薬剤収容部を設けたものである。
特許文献１に開示された発明では、日付けの下方に、それぞれ４個の薬剤収容部が並べられている。４個の薬剤収容部は、それぞれ服用のタイミング（用法）に対応するものであり、特許文献１の記載に基づけば、「朝」「昼」「夜」「ネル前」と表示されている。
そして投薬カレンダー（薬剤セット具）の薬剤収容部に、服用のタイミングに対応した薬剤を収容しておく。服用のタイミングが到来すると、該当する薬剤収容部から薬剤を取り出して服用する。
【０００４】
前記した投薬カレンダーは、個人宅のみならず、高齢者の介護施設等や、入院施設を有する病院でも採用される傾向にある。
特許文献１に開示された投薬カレンダーは、薬剤をセットする薬剤セット具であり、患者の自宅や介護施設等に設置される。
そして薬剤師が自己の薬局（調剤室）で薬剤セット具（投薬カレンダー）の薬剤配置部に薬剤を収容し、薬剤が収容された状態の薬剤セット具を患者の自宅や介護施設に持ち込む。
【先行技術文献】
【特許文献】
【０００５】
【特許文献１】特開２００１−２５８９９９号公報
【特許文献２】特開２０１３−２４８８７３号公報
【発明の概要】
【発明が解決しようとする課題】
【０００６】
前記した様に、薬局（調剤室）で薬剤セット具に薬剤を収容し、患者の自宅や介護施設に薬剤セット具が持ち込まれる。
実際には、薬局において薬剤セット具の薬剤収容部に所定の薬剤を収容し、薬剤セット具をつり下げ姿勢で保持して自動車に積み込み、介護施設等に輸送する。或いは薬剤セット具を平置き状にして自動車に積み込み、介護施設等に輸送することとなる。
【０００７】
従来技術の輸送手段は、薬剤セット具をつり下げ状態や平置き状態とするので、嵩張る。また薬剤セット具がひらひらと動くので、自動車への積み込みや、積み出しが面倒である。
さらに薬剤セット具の積み込み、積み出しや輸送する際に、薬剤配置部から薬剤が脱落する場合がある。
特に、薬剤セット具を平置き状態で輸送する場合に、薬剤配置部から薬剤が脱落しやすい。
例えば介護施設に薬剤セット具を輸送する際には、一度に多数の薬剤セット具を運び込む場合が多いので、薬剤配置部から薬剤が脱落してしまうと、脱落した薬剤がどの薬剤セット具に装着されていたものであるかをさがすのが面倒である。
【０００８】
本発明は、従来技術の上記した問題点に注目し、輸送の際に嵩張らず、且つ輸送の際に薬剤収容部から薬剤が脱落しにくい薬剤セット具を提供することを課題とする。
【課題を解決するための手段】
【０００９】
上記した課題を解決するための態様は、基材に複数の薬剤収容部が平面的且つ行列状に分布されていて、前記薬剤収容部に対応する服用者及び服用タイミングの薬剤が当該薬剤収容部に保持される薬剤セット具において、前記薬剤収容部は薬剤を出し入れする開口を有し、前記基材には前記出し入れ可能な方向に対して順方向に延びる折り線があり、前記折り線から基材を折り畳むことが可能であることを特徴とする薬剤セット具である。
【００１０】
本態様の薬剤セット具では、薬剤収容部に所定の薬剤を収容し、折り線から基材を折り畳んだ状態で薬剤セット具を輸送することができる。
本態様の薬剤セット具は、小さく折り畳まれるので、輸送時に嵩張らない。また本態様の薬剤セット具では、折り線は出し入れ方向に対して順方向に延びている。そのため基材を折り線から折り曲げると、出し入れ口はいずれも同一方向に向くこととなる。従って薬剤セット具を運ぶ際に、出し入れ口を上方向にした状態に保持すれば、薬剤収容部から薬剤が脱落する危険性は低い。
【００１１】
同様の課題を解決するためのもう一つの態様は、基材に複数の薬剤収容部が平面的且つ行列状に分布されていて縦姿勢に設置され、前記薬剤収容部に対応する服用者及び服用タイミングの薬剤が当該薬剤収容部に保持される薬剤セット具において、前記薬剤収容部はポケット状であり、設置姿勢を基準として縦方向に延びる折り線があり、前記折り線から基材を折り畳むことが可能であることを特徴とする薬剤セット具である。
【００１２】
本態様の薬剤セット具についても基材を折り畳んだ状態で薬剤セット具を輸送することができるので輸送時に嵩張らない。また本態様の薬剤セット具についても基材を折り線から折り曲げると、出し入れ口はいずれも同一方向に向くこととなる。従って薬剤セット具を運ぶ際に、出し入れ口を上方向にした状態に保持すれば、薬剤収容部から薬剤が脱落する危険性は低い。
【００１３】
前記した各態様において、前記各薬剤収容部は、基材の一方の表面側に薬剤を出し入れする開口があり、前記開口がある面が向き合う様に折り畳むことが可能であることが望ましい。
【００１４】
本態様によると、基材の開口が対向する基材によって封鎖されるので、薬剤収容部から薬剤が脱落する危険性は低い。
【００１５】
前記した各態様において、薬剤は、所定の薬剤包装に包まれた状態で前記薬剤収容部に収容され、前記薬剤収容部の深さは、収容する薬剤包装よりも浅く、薬剤包装を前記各薬剤収容部に収容した状態においては、薬剤包装の一部が前記各薬剤収容部から露出し、且つ前記露出部分が隣接する前記薬剤収容部の一部に重なることが望ましい。
【００１６】
本態様によると、薬剤セット具の縦方向の全長を短くすることができる。
【００１７】
前記した各態様において、前記薬剤収容部の開口の近傍に、前記薬剤の脱落を防止する脱落防止部材が設けられていることが望ましい。
【００１８】
本態様によると、薬剤収容部から薬剤が脱落する危険性さらに低下する。
【００１９】
同様の課題を解決する他の態様は、前記した薬剤セット具とケースとの組み合わせであって、前記ケースは、少なくとも折り畳んだ状態の前記薬剤セット具の周面を包囲する周壁を有し、前記ケースに前記薬剤セット具を挿入可能であることを特徴とする薬剤セット具とケースとの組み合わせである。
【００２０】
本態様では、折り畳んだ状態の薬剤セット具の周面を包囲する周壁を有している。そのため折り畳まれた状態の薬剤セット具が、輸送中に展開状態となることを防ぐことができる。
【００２１】
前記ケースは、前記周壁の少なくとも一部から内部を観察することが可能であることが望ましい。
【００２２】
本態様によると、ケース内の薬剤セット具に薬剤が装着されていることを確認することができる。
また仮に、ケース内に挿入中の薬剤セット具から薬剤が脱落した様な場合、脱落してケース内に残った薬剤を外部から確認することができる。
さらに本態様によると、薬剤セット具を回収する際に薬の飲み忘れや取り忘れを確認することができる。
【００２３】
前記ケースは袋物であることが望ましい。
【００２４】
本態様によると、輸送時にケースが嵩張らない。
【発明の効果】
【００２５】
本発明の薬剤セット具は、輸送の際に嵩張らず、且つ輸送の際に薬剤収容部から薬剤が脱落しにくい。
また薬剤セット具とケースとを組み合わせることにより、輸送の際に薬剤セット具が展開状態となることを防ぐことができる。
【図面の簡単な説明】
【００２６】
【図１】（ａ）は本発明の実施形態の薬剤セット具の正面図であって薬剤包装が保持されていない状態を示し、（ｂ）はその拡大図である。
【図２】（ａ）は本発明の実施形態の薬剤セット具の正面図であって薬剤包装が保持されている状態を示し、（ｂ）はその拡大図である。
【図３】（ａ）は図１、図２の薬剤セット具の構成を示す分解斜視図であり、（ｂ）はその拡大図である。
【図４】（ａ）は図１、図２の薬剤セット具の断面図であり、（ｃ）は当該薬剤セット具を折り畳んだ状態を示す断面図であり、（ｂ）は折り畳まれる中途状態を示す断面図である。
【図５】図１、図２の薬剤セット具の一部を示す斜視図であり、（ａ）は薬剤セット具が折り畳まれる中途状態を示し、（ｂ）は薬剤セット具を折り畳んだ状態を示す。
【図６】（ａ）は折り畳まれた状態の薬剤セット具をケースに収容する際の様子を示す斜視図あり、（ｂ）は薬剤セット具がケースに収容された様子を示す斜視図ある。
【図７】ケース内において薬剤セット具から薬剤を抜き出す場合の斜視図であり、（ａ）はケースから薬剤セット具を抜き出す際の様子を示し、（ｂ）はケースから薬剤セット具を抜き出した後の様子を示す。
【図８】本発明の他の実施形態の薬剤セット具の要部の拡大図であって（ａ）は本発明の他の実施形態で使用する薬剤セット具の正面図であって薬剤包装が保持されていない状態を示し、（ｂ）は薬剤包装が保持されている状態を示す。
【図９】図８に示す薬剤セット具の拡大斜視図である。
【図１０】本発明のさらに他の実施形態の薬剤セット具の正面図であって薬剤包装が保持されていない状態を示す。
【図１１】本発明のさらに他の実施形態の薬剤セット具の正面図であって薬剤包装が保持されていない状態を示す。
【図１２】本発明の実施形態の薬剤セット具の用途の一例を説明する分解斜視図である。
【図１３】本発明の他の実施形態の薬剤セット具の構成を示す分解斜視図である。
【発明を実施するための形態】
【００２７】
以下さらに本発明の実施形態について説明する。
薬剤セット具には各種の形式のものがあるが、大きく分けて個人用の薬剤セット具と、複数の服用者を対象とする一日用薬剤セット具、及び複数の服用者を対象とする服用時点別の薬剤セット具がある。
第一実施形態の薬剤セット具１は、個人用の薬剤セット具１である。薬剤セット具１は、壁等につり下げたり、壁に貼り付けて使用される。
薬剤セット具１には、服用者を表示する文字表示（村松様）と、バーコード２５が付されている。
【００２８】
薬剤セット具１は、図１の様に、平面状の基材２に薬剤収容部３が多数、設けられたものである。
薬剤収容部３は、平面的且つ行列状に分布されていてそれぞれ服用者と服用のタイミングに基づいて定められる特定の位置にあり、薬剤収容部３に対応する服用者及び服用タイミングの薬剤包装２０が保持されるものである。
薬剤包装２０は、図２（ｂ）の様に、同時に服用する薬剤２１を、一つの袋状包装２２に収容したものである。
ここで図２では、一つの薬剤収容部３に薬剤包装２０が一つずつ入れられた状態を図示しているが、一つの薬剤収容部３に複数の薬剤包装２０が入れられることも多い。例えば一般の西洋医薬と漢方薬が処方された場合には、薬剤収容部３に複数の薬剤包装２０が入れることが多い。漢方薬が処方に加えられた場合には、１服用単位で西洋医薬品が包装された薬剤包装２０と、漢方薬の包みが一つの薬剤収容部３に収容されることとなる。
もちろん、薬剤包装２０が入らない薬剤収容部３が存在する場合もある。
【００２９】
本実施形態では、薬剤収容部３は、曜日軸と、服用のタイミング軸によって構成されるマトリックス形状（行列状）に配列されたものである。
具体的には、月、火、水、木、金、土、日の７曜を縦軸とし、「朝用」「昼用」「夜用」「寝る前」を横軸とする行列状である。
薬剤セット具（お薬カレンダー）１は、一人の服用者が専用に使用するものであり、例えば服用者の村松が一週間に服用する薬剤が、曜日と服用のタイミングごとに薬剤収容部３に収容される。
即ち薬剤収容部３は、服用者が「村松」一人に定められ、服用のタイミングが「月朝、月昼・・・」等の表示に基づいて定められる特定の位置にあり、薬剤収容部３は、服用者と服用のタイミングに基づいて定められる特定の位置にある。
【００３０】
薬剤収容部３は、基材２に、小型の透明シート５が取り付けられてポケット状の袋を構成したものである。
ここで本実施形態では、基材２の厚みが一様ではなく、縦筋状に厚さの薄い領域８があり、折り線１０が形成されている。
具体的には、基材２は、図３、図４の様に、一枚の基礎シート６の一方の表面に、保持シート７が４枚、一定の間隔をおいて、配置・積層させたものである。
基礎シート６は、ビニール樹脂等で作られたものであり、薬剤セット具１の全面積を構成する長方形のシートである。基礎シート６は、比較的薄く、柔らかい。基礎シート６は透明である。
【００３１】
保持シート７は、縦一列の薬剤収容部３を保持する基板を構成するものであり、細長い短冊状の長方形のシートである。
保持シート７は、ポリプロピレン等の樹脂製であり、基礎シート６に比べて厚さが厚く、腰がある。即ち保持シート７は、基礎シート６に比べて硬く、剛性がある。保持シート７は、透明である。
保持シート７は、図３、図４の様に、互いに間隔を開けて基礎シート６の表面に積層されている。
具体的には、第一保持シート７ａが基礎シート６と辺を合わせた状態で設置されている。第二保持シート７ｂは、第一保持シート７ａに対して間隔を開けた状態で平行に配置されている。以下同様に、第三保持シート７ｃ、第四保持シート７ｄが間隔を開けた状態で平行に配置されている。端部の第四保持シート７ｄの長辺は、基礎シート６の長辺と合致する。
各保持シート７の間の隙間は、基礎シート６のみがあり、前記した様に厚さの薄い領域８となり、折り線１０として機能する。
【００３２】
本実施形態では、同じ縦一列に属する薬剤収容部３はいずれも同一の保持シート７に取り付けられている。
具体的には、朝に服用する薬剤が収容される薬剤収容部３はいずれも第一保持シート７ａに取り付けられ、昼に服用する薬剤が収容される薬剤収容部３はいずれも第二保持シート７ｂに取り付けられている。夜に服用する薬剤が収容される薬剤収容部３はいずれも第三保持シート７ｃに取り付けられ、寝る前に服用する薬剤が収容される薬剤収容部３はいずれも第四保持シート７ｄに取り付けられている。
【００３３】
本実施形態では、薬剤収容部３は、透明のポケットシート１１によって構成されている。具体的には、薬剤収容部３は、透明のポケットシート１１の左右辺と下辺が基材２（保持シート７）に接着され、上辺から内部に物を入れることができる構造である。
薬剤収容部３は、内部が透けて見える。
本実施形態では、薬剤収容部３は、上部の辺が開口１５となったポケットである。本実施形態では、薬剤収容部３の開口１５は薬剤の出し入れ口となるものである。
本実施形態の薬剤セット具１は、壁等につり下げられて使用されるものであるから、設置姿勢を基準とすると、開口１５のラインは水平方向に延び、薬剤は天地方向に出し入れされる。図１、図２では、薬剤は縦方向（矢印方向）に出し入れされる。
薬剤の出し入れ方向、より具体的には薬剤を薬剤収容部３から抜き出す方向と、折り線１０の方向を比較すると、折り線１０が延びる方向は、薬剤を抜き出す方向に対して略平行である。即ち折り線１０は、薬剤収容部３の薬剤出し入れ可能な方向に対して順方向に延びている。
また薬剤セット具１の設置姿勢を基準とすると、折り線１０は縦方向に延びる。
前記した様に薬剤セット具１は、壁等につり下げたり、壁に貼り付けて使用されるものであるから、薬剤セット具１が壁等に設置された状態においては、折り線１０は天地方向（鉛直方向）に向くこととなる。
【００３４】
本実施形態では、縦方向に並べられた薬剤収容部３は、上下の間隔が小さい。薬剤収容部３の開口１５に注目すると、開口１５の直上であって、ほとんど間隔を開けずに隣接した位置に、上部側の薬剤収容部３の底線１６がある。
また本実施形態の薬剤セット具１は、同時に服用する薬剤を、一つの袋状包装に収容した状態で、薬剤収容部３に収容することを想定しているが、薬剤収容部３のポケット状部分の深さＨは、袋状包装の長さＬよりも浅い。
【００３５】
次に、薬剤セット具１を収容するケース３０について説明する。
本実施形態では、ケース３０は、透明なシートを展開形状に裁断し、展開形状の各辺を融着して形成されたものである
ケース３０は、図６の様に縦封筒に似た概観を呈する袋物である。
ケース３０は、図６の姿勢を基準として、周壁部３１と、底部３２を有する短冊状の袋であり、内部に収容空間３３がある。
ケース３０の一方の短辺に収容空間３３に繋がる開口部３５がある。開口部３５には蓋片３６が設けられている。
またケース３０の正面壁と蓋片３６には係合片４０、４１があり、蓋片３６で開口部３５を閉じて係合片４０、４１同士を係合することにより、収容空間３３を閉鎖することができる。本実施形態では、係合片４０、４１は、一対のホックであるが、開口部３５を閉じた状態を維持することができるものであれば、構造を限定するものではなく、例えばボタンとボタンホール等であってもよい。
【００３６】
次に、本実施形態の薬剤セット具１及びケース３０の作用について説明する。
本実施形態の薬剤セット具１は、従来技術と同様に、特定の患者（村松）が専用に使用するものである。薬剤セット具１の各薬剤収容部３には、特定の服用者（村松）が服用すべき薬剤のみが収容される。また各薬剤収容部３には、対応する服用タイミングの薬剤包装２０が保持される。即ち対応する服用タイミングの薬剤２１が保持される。
【００３７】
ここで前記した様に、本実施形態の薬剤セット具１では、薬剤収容部３のポケット状部分の深さＨは、袋状包装の長さＬよりも浅い。
そのため各薬剤セット具１に収容された薬剤包装２０は、上部側が薬剤収容部３から露出する。また本実施形態では、薬剤収容部３の上下間隔が狭いので、薬剤包装２０の薬剤収容部３から露出した部分が、上側に薬剤収容部３と重なる。
【００３８】
ここで薬剤包装２０の厚さは、各部が均等ではなく、例えば錠剤がある部分は厚く、他の部分は包装紙だけであるから薄い。散薬が含まれている場合も同様であり、薬剤包装２０の散薬がある部分は厚く、他の部分は薄い。また、一つの薬剤収容部３に複数枚の薬剤包装２０を収容する場合もある。この場合についても薬剤収容部３の膨らみが不均等となる場合が多い。
常識的に薬剤２１は、包装の下部側に集まる傾向があるから、薬剤包装２０を縦姿勢にすると、薬剤包装２０の下部側は厚く、上部側は薄くなる。
本実施形態では、薬剤包装２０の上部側の領域が、上の薬剤収容部３に配置された薬剤包装２０の下部と重なることとなるが、前記した様に、薬剤収容部３の下部側は厚く、上部側は薄いので、両者が重なっても、全体の厚さは過度に厚くはならない。
【００３９】
そのため本実施形態によると、薬剤セット具１に薬剤を密に配置することができる。また本実施形態によると、薬剤セット具１を小型化することもできる。
さらに本実施形態によると、薬剤包装の一方の面が上方の薬剤収容部３におし付けられた状態となり、薬剤包装２０は薬剤収容部３から脱落しにくい。
【００４０】
薬剤セット具１に薬剤（薬剤包装２０）の装着が完了すると、薬剤セット具１を折り畳んでケース３０に収容し、運搬する。
本実施形態の薬剤セット具１では、基材２に折り線１０が形成されているので、折り線１０に沿って薬剤セット具１を折り畳む。本実施形態では、図４、図５の様に、薬剤セット具１の両側の折り線１０ａ、１０ｃを上から見て山折りし、中間の折り線１０ｂを谷折りして、「Ｍ」状に折り畳む。
言い換えると、全ての薬剤収容部３が内側に折り込まれる様に折り畳む。
【００４１】
本実施形態では、４枚の保持シート７が間隔を開けて設置されており、保持シート７は剛性を有している。また保持シート７には、縦一列の薬剤収容部３が保持されている。
そのため折り線１０に沿って薬剤セット具１を折り畳むと、縦一列の薬剤収容部３が、一体的に折り曲げられることとなる。
前記した様に、両側の折り線１０ａ、１０ｃを上から見て山折りし、中間の折り線１０ｂを谷折りすると、縦一列の薬剤収容部３が、隣の縦一列の薬剤収容部３と向き合う状態となる。
【００４２】
また本実施形態では、各縦一列に属する薬剤収容部３は、折り畳まれても天地方向の姿勢が変わらない。
そのため全ての縦一列に属する薬剤収容部３は、開口１５の方向が同一方向に向き、薬剤包装２０の出し入れ方向は全て同一の方向に向く。
仮に、図５の様に、薬剤収容部３の開口１５を上に向けた状態で、薬剤セット具１を折り線１０に沿って折り畳むと、全ての薬剤収容部３の開口１５は、上方に向かって開く。そのため薬剤収容部３に収容された薬剤が、自然落下することはない。
また折り畳まれた状態においては、図４（ｃ）の様に、薬剤収容部３が、横方向に隣接する薬剤収容部３によって、面圧される。そのため薬剤包装２０は押しつけられた状態となり、移動しにくく、脱落しにくい。
【００４３】
さらに折り畳まれた状態の薬剤セット具１は、広げた状態に比べて、正面視した状態の面積が小さくなる。具体的には、一枚の保持シート７に相当する面積となり、約４分の１に縮小される。そのため輸送の際に嵩張らない。
【００４４】
薬剤セット具１は、図６の様に、折り畳んだ状態でケース３０に収容される。薬剤セット具１の挿入方法には注意すべきであり、薬剤収容部３の底側がケース３０の底部３２側に向く方向に挿入する。そしてケース３０の開口部３５を蓋片３６で閉じ、係合片４０、４１を係合して開口部３５を閉じた状態とする。
【００４５】
ここでケース３０は、図６の様に縦封筒に似た概観を呈する袋物であり、周壁部３１と、底部３２を有する短冊状の袋である。
そのためケース３０に薬剤セット具１を収容すると、ケース３０の周壁部３１が薬剤セット具１の周面を包囲する。そのため、ケース３０内において、薬剤セット具１が周壁部３１で抑えられ、隣接する保持シート７同士が展開姿勢となる力がケース３０の周壁部３１で抑えられ、薬剤セット具１の折り畳み状態が維持される。
【００４６】
薬剤師は、例えば自動車にケース３０を多数、積み込んで、患者の所に運搬する。
薬剤セット具１をケース３０に収容すると、保持シート７同士が展開姿勢となることはないので、ケース３０を水平姿勢にしても、薬剤収容部３から薬剤包装２０が脱落する危険性は低い。そのため、ケース３０を平置きした状態で自動車に積み込んでも、薬剤収容部３から薬剤包装２０が脱落する危険性は低い。
またケース３０は、短冊状であって専有する面積や体積が小さいので嵩張らない。
【００４７】
患者の自宅等に運ばれたケース３０は、開封され、図７（ａ）の様に保持シート７が引き出される。
ここで仮に薬剤収容部３から薬剤包装２０が脱落すると、脱落した薬剤は図７（ａ）（ｂ）の様にケース３０内に残ることとなる。
ここで本実施形態で採用するケース３０は透明であるから、内部の残った薬剤包装２０を目視することができ、薬剤包装２０の脱落の有無を確認することができる。
【００４８】
上記した実施形態の薬剤セット具１によると、輸送中に薬剤収容部３から薬剤包装２０が脱落する危険性は低いが、脱落をより完璧に防ぐ方法として、図８に示すが工夫が考えられる。
図８に示す薬剤セット具５０では、薬剤収容部３の開口の近傍に、薬剤（薬剤包装２０）の脱落を防止する脱落防止部材４３が設けられている。
本実施形態では、上部側の薬剤収容部３の表面であって、中間高さの位置に、クッション性を有する直方体の部材が脱落防止部材４３として取り付けられている。
【００４９】
本実施形態によると、薬剤包装２０の上辺の近傍に脱落防止部材４３があり、薬剤包装２０の抜け方向の移動を阻止する。そのため薬剤包装２０は脱落しにくい。
また薬剤セット具５０を折り畳んだ場合、図９の様に横方向に隣接する脱落防止部材４３同士が突き当たり、隣接する縦一列に属する薬剤包装２０の間に隙間ができる。そのため薬剤セット具５０を折り畳んだ際に薬剤包装２０同士が過度に圧迫されることがない。
【００５０】
以上説明した実施形態では、面状かつ行列状に分布した薬剤収容部３を４区画の領域に分け、これらの領域の境界に折り線１０ａ、１０ｂ、１０ｃを設けて基材２を「Ｍ」状に折り畳んだ。他の形式として、薬剤収容部３を２区画の領域に分け、これらの領域の境界に折り線１０を設けて基材２を柏折り状に折り畳んでもよい。
例えば、朝に服用する薬剤包装２０が収容される縦一列と、昼に服用する薬剤包装２０が収容される縦一列を同一の保持シート７の表面に設け、夜に服用する薬剤包装２０の列と、寝る前に服用する薬剤包装２０列を他の保持シート７の表面に設ける。
そして基材２を折り畳むと、朝と昼に服用すべき薬剤包装２０が収容される縦二列の薬剤収容部３が、夜と寝る前に服用すべき薬剤包装２０が収容される縦二列の薬剤収容部３と向き合う。
【００５１】
以上説明した第一実施形態は、個人用の薬剤セット具１に本発明を適用したものであるが、複数の服用者を対象とする一日用薬剤セット具５１や、複数の服用者を対象とする服用時点別の薬剤セット具５５に本発明を適用してもよい。
【００５２】
図１０に示す薬剤セット具５１は、複数の服用者を対象とする一日用薬剤セット具である。一日用薬剤セット具５１は、日めくりカレンダーのごとく、服用すべき曜日が大きく記載されている。また  一日用薬剤セット具５１は、服用者名と服用のタイミング軸によって構成される行列状に薬剤収容部３が配置されている。
具体的には、村松、早田、嵐、富士、井手、霧島、諸星の七名の名前を縦軸とし、「朝用」「昼用」「夜用」「寝る前」を横軸とする行列形状である。
一日用薬剤セット具５１は、複数の服用者が共同で使用するものであり、例えば７人の服用者が一日に服用する薬剤が、服用者名と服用のタイミングごとに収容される。
例えば、当日の朝には、村松、早田、嵐、富士、井手、霧島、諸星の七名が、それぞれの「朝用」の薬剤収容部３に収容された薬剤を服用する。昼食を終えれば前記した七名が、それぞれの「昼用」の薬剤収容部３に収容された薬剤を服用する。
複数の服用者を対象とする一日用薬剤セット具５１は、介護施設や病院で使用される。一日用薬剤セット具５１において、何名の服用者を一単位とするかは任意であり、５名であっても１０名であってもよい。
【００５３】
本実施形態の薬剤セット具５１においても、縦一列の薬剤収容部３が、一つの保持シート７に保持されており、基材２の薬剤収容部３の縦列同士の間に折り線１０がある。そして折り線１０に沿って折り畳むことができる。
本実施形態の薬剤セット具５１は、形式が異なるだけであって、主要構成は前記した実施形態と同一であるから、同一の部材に同一の番号を付して重複した説明を省略する。
【００５４】
図１１に示す薬剤セット具５５は、複数の服用者を対象とする服用時点別の薬剤セット具５５である。
服用時点別薬剤セット具５５は、複数の服用者が共同で使用するものであり、介護施設や病院で使用される。例えば２８人の服用者それぞれが、一日の特定時期に服用する薬剤が、服用者名別に収容される。
例えば、当日の朝には、薬剤セット具５５に名前のある２８名が、それぞれの名前が付された薬剤収容部３に収容された薬剤を服用する。
全員が服用を終えると、服用時点別薬剤セット具５５を外し、昼用の服用時点別薬剤セット具５５を用意する。
服用時点別薬剤セット具５５において、何名の服用者を一単位とするかは任意であり、１０名であっても３０名であってもよい。
【００５５】
本実施形態の薬剤セット具５５についても、形式が異なるだけであって、主要構成は、前記した実施形態と同一であるから、同一の部材に同一の番号を付して重複した説明を省略する。
【００５６】
上記した実施形態では、ケース３０の構成として袋物の様なソフト構造を採用した。本態様によると、輸送時にケース３０が嵩張らず、推奨されるが、箱の様なハード構造のケースを採用してもよい。
即ちケースには、箱の様なハード構造と、袋物の様なソフト構造が考えられる。
ケースの構成としては、いずれを採用してもよいが、袋物の様なソフトケースを採用することが推奨される。
即ち一回に服用する薬剤の量は、患者によってまちまちである。一回に服用する量が多い場合には、薬剤セット具１、５０、５１、５５を折り畳んだ際の厚さが厚くなり、一回に服用する量が少ない場合には、薬剤セット具１、５０、５１、５５を折り畳んだ際の厚さが薄くなる。
一方、薬局は、複数の患者に対して薬剤を供給するので、ケースを多数用意する必要があるが、ケースの大きさを統一したいという要求がある。
仮にケースの構成として、箱の様なハード構造を採用するならば、箱の厚さは、最も服用量の多い患者の薬剤セット具１、５０、５１、５５の薬剤収容時の厚さに合わせる必要がある。ハード構造のケースは、収容されるべき薬剤セット具１、５０、５１、５５の厚さに係わらず一定であるから、大量のケースを輸送する際には、ケースが嵩張るという問題がある。
袋物の様なソフトケース構造を採用する場合も、袋の大きさは、最も服用量の多い患者の薬剤セット具の厚さに合わせる必要があるが、薬剤セット具を収容した状態における全体の厚さは、薬剤セット具の厚さに依存し、薬剤セット具の厚さが薄い場合には、厚さが薄く、嵩張らない。
【００５７】
以上説明した薬剤セット具１、５０、５１、５５は、いずれも壁等に垂直姿勢に設置されて使用されるものである。壁等に対する設置方法は任意であり、例えば紐でつり下げたり、壁に設けられたフックに引っかける方法が考えられる。これに対応して薬剤セット具１、５０、５１、５５につり下げ用の紐を通す孔や、フックに引っかけるための孔を設けてもよい。
また鋲で薬剤セット具１、５０、５１、５５を壁等に取り付けてもよい。また薬剤セット具１、５０、５１、５５にホックやボタン等の係合部を設け、対する壁等にも対応する係合部を設け、係合部同士を接合してもよい。
【００５８】
以上説明した薬剤セット具１、５０、５１、５５は、いずれも単に壁等につり下げる等によって使用されるが、図１２に示すように、服用時期等を指示する服用指示装置６０と組み合わせて使用することも推奨される。
服用指示装置６０は、各薬剤収容部３に対応する位置に発光部材６１がある。そして服用時期が到来すると、特定の発光部材６１が発光する。上記した薬剤セット具１、５０、５１、５５は、いずれも透明であるから、発光部材６１が発する光は、薬剤セット具１、５０、５１、５５を透過して外部で視認される。
患者等は、発光した薬剤収容部３から薬剤を取り出して服用する。
【００５９】
なお薬剤セット具１、５０、５１、５５は、複数のシートが接着接合されたものであるが、シート同士の接合部分、例えば融着ラインは、光の透過性が悪い。そのため、発光部材６１の光源の前にはなるべく融着ライン等の接着部が位置しない様に配慮することが望ましい。
【００６０】
図１２に示す薬剤セット具５６は、基材２の裏面に、ホックやボタン等の係合片２６が設けられている。また発光部材６１の表面には、前記した係合片２６と係合する係合片２７が設けられている。
図１２に示す薬剤セット具５６は、前記した係合片２６、２７を係合させて発光部材６１の表面に取り付けられる。
【００６１】
以上説明した薬剤セット具１、５０、５１、５５は、いすれも薬剤を上下方向に出し入れするものであるが、出し入れ方向は多少傾斜していても構わない。
以上説明した実施形態では、４枚の保持シート７ａ、７ｂ、７ｃ、７ｄは、いずれも同じ大きさであるが、大きさは違っていてもよい。
以上説明した実施形態では、ケース３０は全体的に透明であるが、患者のプライバシーに配慮して例えば一方の表面だけが透明であったり、部分的に透明であってもよい。またケース３０は不透明であってもよい。
【００６２】
以上説明した実施形態では、基材２は、図３、図４の様に、一枚の基礎シート６の一方の表面に、保持シート７が４枚、一定の間隔をおいて、配置・積層させたものであるが、基材２の層構成は、上記した構造に限定されるものではない。
例えば、図１３に示す薬剤セット具６５で採用する基材６６は、第一基礎シート７０と、第二基礎シート７１の間で４枚の保持シート７を挟んだ構造となっている。
第一基礎シート７０と、第二基礎シート７１は厚さが薄く、保持シート７は厚さが厚い。本実施形態では、第一基礎シート７０と、第二基礎シート７１を高周波融着し、第一基礎シート７０と第二基礎シート７１の間に形成される袋状の空間内に、保持シート７が挟み込まれている。
【００６３】
図１３に例示した基材６６は、製造が容易であるという利点がある。
即ちポリプロピレン等のオレフィン系の樹脂に対しては有効な接着剤が少なく、熱融着や高周波融着によって接合する場合が多い。さらにシート状のものを融着する場合は、厚さが薄いものの方が接合し易い。
本実施形態に当てはめると、保持シート７は厚さが厚いので、比較的、熱融着や高周波融着を行い難い素材であると言える。
そこで図１３に示す薬剤セット具６５では、厚さが薄く、融着し易い第一基礎シート７０と第二基礎シート７１で保持シート７を挟み、保持シート７の周囲で第一基礎シート７０と第二基礎シート７１を直接的に接触させて融着する構成を採用している。
【００６４】
また図１３に示す基材６６は、表面側に厚さの薄い第二基礎シート７１があるので、薬剤収容部３を融着し易いという利点もある。
図１３に示す薬剤セット具６５では、帯状シート７２によって複数のホケット形状の薬剤収容部３が作られている。
即ち、薬剤セット具６５では、帯状シート７２を横方向に延ばした状態で基材６６に設置している。薬剤セット具６５では、帯状シート７２が７条平行に配置されている。
各帯状シート７２は、いずれも４枚の保持シート７に跨がる状態に配置されている。
そして各帯状シート７２の一部を基材６６に融着して、各帯状シート７２ごとに４個のポケット状の薬剤収容部３が形成されている。
【００６５】
上記した実施形態は、いずれも複数のシートを積層することによって、基材２、６６に厚さの厚い部分と、厚さが薄く折り線１０となる部分を形成したが、積層によらずに折り線１０を形成してもよい。
例えば、一枚の比較的厚いシートやボードの一部を熱溶融して薄い領域８を作る方法や、シートやボードを切削して縦に切れ目や凹溝を設け、当該切れ目等を折り線１０としてもよい。
【符号の説明】
【００６６】
１，５０, ５１，５５，５６，６５  薬剤セット具
２，６６  基材
３  薬剤収容部
６  基礎シート
７  保持シート
１０  折り線
１５  開口
２０  薬剤包装
２１  薬剤
３０  ケース
３１  周壁部
３５  開口部
４３  脱落防止部材
【図１】
2019068929.tif 000003
【図２】
2019068929.tif 000004
【図３】
2019068929.tif 000005
【図４】
2019068929.tif 000006
【図５】
2019068929.tif 000007
【図６】
2019068929.tif 000008
【図７】
2019068929.tif 000009
【図８】
2019068929.tif 000010
【図９】
2019068929.tif 000011
【図１０】
2019068929.tif 000012
【図１１】
2019068929.tif 000013
【図１２】
2019068929.tif 000014
【図１３】
2019068929.tif 000015